(57)【要約】【課題】衣類において収集されたセンシング情報を記憶装置に記憶するための技術を提供する。【解決手段】衣類にはセンサ部を備えるトランスミッタ１０が装着される。トランスミッタ１０は、衣類がハンガー装置２０に配置されていないときにはセンシングを行って、センシング情報を蓄積する（Ｓ４，Ｓ５）。ハンガー装置２０は、衣類が配置されたことを、例えば重量センサを用いて検知した場合（Ｓ６；ＹＥＳ）、トランスミッタ１０と近距離通信を行ってセンシング情報の送信を要求し（Ｓ７）、その応答としてのセンシング情報を取得する（Ｓ８，Ｓ９）。ハンガー装置２０は、取得したセンシング情報の管理サーバ４０との同期を指示する同期指示データを、端末装置３０を介してネットワークへ送信する（Ｓ１０）。管理サーバ４０は、センシング情報をデータベースに記憶する同期処理を行う（Ｓ１１）。【選択図】図１０
2016009259.tif 000002
【特許請求の範囲】
【請求項１】
衣類に装着される無線通信端末であって、当該衣類に設けたセンサのセンシング情報を蓄積する無線通信端末と無線通信を行う無線通信手段と、
前記衣類が特定の位置に配置されたことを検知する検知手段と、
前記検知手段により前記配置が検知された場合に、前記無線通信手段を介して前記センシング情報を取得する取得手段と、
前記取得手段により取得された前記センシング情報を記憶装置へ記憶させる制御を行う記憶制御手段と
を備える情報処理装置。
【請求項２】
前記記憶制御手段は、
前記センシング情報の記憶を指示する指示データを無線通信により送信し、
前記指示データ送信するための無線通信が不可能であることを原因として、前記指示データの送信に失敗した場合には、その旨を報知する報知処理手段を備える
ことを特徴とする請求項１に記載の情報処理装置。
【請求項３】
前記無線通信手段は、
第１の規格に準拠した無線通信、及び、当該第１の規格よりも通信可能な距離が長い第２の規格に準拠した無線通信を、前記無線通信端末と行い、
前記取得手段は、
前記第２の規格に準拠した無線通信により前記センシング情報を取得し、
前記記憶制御手段は、
前記第１の規格に準拠した無線通信が行われているときに、前記センシング情報が取得された場合には、取得された当該センシング情報を記憶させる制御を行う
ことを特徴とする請求項１又は請求項２に記載の情報処理装置。
【請求項４】
前記取得手段は、
前記センシング情報を取得済みである旨を前記無線通信端末へ応答し、当該応答をした後は、前記取得済みである前記センシング情報を取得しない
ことを特徴とする請求項１から請求項３のいずれか１項に記載の情報処理装置。
【請求項５】
前記取得手段は、
前記検知手段により前記配置が検知されなくなった場合には、前記センシングの開始指示を前記無線通信端末へ送信し、設定された時間が経過した後に、前記センシングの停止指示を前記無線通信端末へ送信する
ことを特徴とする請求項１から請求項４のいずれか１項に記載の情報処理装置。
【請求項６】
前記衣類として、第１の衣類と第２の衣類とがあり、
前記特定の位置に作用する重量を測定する測定手段と、
前記第１の衣類及び前記第２の衣類の各々の重量を特定する衣類情報を取得する衣類情報取得手段と
を備え、
前記検知手段は、
前記測定手段により測定された前記重量と、前記衣類情報により特定される前記重量とに基づいて、前記特定の位置に前記第１の衣類及び前記第２の衣類が配置されていることを検知する
ことを特徴とする請求項１から請求項５のいずれか１項に記載の情報処理装置。
【請求項７】
前記検知手段は、
前記無線通信端末から受信した電波の強度に基づいて、前記特定の位置に前記衣類が配置されていることを検知する
ことを特徴とする請求項１から請求項６のいずれか１項に記載の情報処理装置。
【請求項８】
ハンガー本体を備え、
前記検知手段は、
前記ハンガー本体に前記衣類が配置されたことを検知する
ことを特徴とする請求項１から請求項７のいずれか１項に記載の情報処理装置。
【請求項９】
衣類に装着される無線通信端末と、
情報処理装置と
を備え、
前記無線通信端末は、
前記衣類に設けたセンサのセンシング情報を蓄積する蓄積制御手段と、
前記蓄積制御手段により蓄積された前記センシング情報を、前記情報処理装置へ無線通信により送信する送信手段と
を有し、
前記情報処理装置は、
前記無線通信端末と無線通信を行う無線通信手段と、
前記衣類が特定の位置に配置されたことを検知する検知手段と、
前記検知手段により前記配置が検知された場合に、前記無線通信手段を介して前記センシング情報を取得する取得手段と、
前記取得手段により取得された前記センシング情報を記憶装置へ記憶させる制御を行う記憶制御手段と
を有する情報処理システム。
【発明の詳細な説明】
【技術分野】
【０００１】
本発明は、衣類に関する情報を収集する技術に関する。
【背景技術】
【０００２】
衣類を保持するハンガー、又は、ハンガーを保持するハンガーラック（ハンガー掛けともいう。）に情報処理の機能を搭載した技術が、特許文献１〜６に開示されている。特許文献１〜５は、衣類がハンガーに掛けられたこと、又は、ハンガーがハンガーラックに掛けられたことを検知して所定の処理を行うことを開示している。特許文献６は、ハンガーが、装着部に装着された被服に取り付けられた無線タグから被服情報を読み取り、当該装着部の形状を最適にすることを開示している。また、非特許文献１は、生体信号を検出できる生地素材を使用した衣類を用いて、当該衣類を着用した人物の心拍数や心電波形を計測し、所定のサービスの提供に利用することを開示している。
【先行技術文献】
【特許文献】
【０００３】
【特許文献１】特開２０１０−２００９９７号公報
【特許文献２】特開２００５−３４３１０号公報
【特許文献３】特開２００７−１２２５６３号公報
【特許文献４】特開２００９−２３４７１２号公報
【特許文献５】再表２０１１／１０１９２７号
【特許文献６】特開２００９−２４０６７５号公報
【非特許文献】
【０００４】
【非特許文献１】NTTと東レが生体情報計測機能つき新素材"hitoe"を共同開発、［online］、［平成２６年５月１２日検索］、インターネット（URL: http://k-tai.impress.co.jp/docs/news/20140130_633107.html）
【発明の概要】
【発明が解決しようとする課題】
【０００５】
高速通信やクラウドサービスが普及する中、エンドユーザが使用する機器にセンサを配置しておき、ネットワーク上のサーバにセンサからの情報を集約し、マーケティング等の分析に利用することがある。非特許文献１は、衣類を着用した人物の生体信号に基づいてサービスを提供することを開示しているが、その具体的な実現方法については開示していない。特許文献１〜６は、衣類がハンガーに掛けられたこと、又は、ハンガーがハンガーラックに掛けられたこと以外の事象を、センシングにより検知することを開示していない。
これに対し、本発明の目的は、衣類において収集されたセンシング情報を記憶装置に記憶するための技術を提供することである。
【課題を解決するための手段】
【０００６】
上述した課題を解決するため、本発明の情報処理装置は、衣類に装着される無線通信端末であって、当該衣類に設けたセンサのセンシング情報を蓄積する無線通信端末と無線通信を行う無線通信手段と、前記衣類が特定の位置に配置されたことを検知する検知手段と、前記検知手段により前記配置が検知された場合に、前記無線通信手段を介して前記センシング情報を取得する取得手段と、前記取得手段により取得された前記センシング情報を記憶装置へ記憶させる制御を行う記憶制御手段とを備える。
【０００７】
本発明の情報処理装置において、前記記憶制御手段は、前記センシング情報の記憶を指示する指示データを無線通信により送信し、前記指示データ送信するための無線通信が不可能であることを原因として、前記指示データの送信に失敗した場合には、その旨を報知する報知処理手段を備えてもよい。
【０００８】
本発明の情報処理装置において、前記無線通信手段は、第１の規格に準拠した無線通信、及び、当該第１の規格よりも通信可能な距離が長い第２の規格に準拠した無線通信を、前記無線通信端末と行い、前記取得手段は、前記第２の規格に準拠した無線通信により前記センシング情報を取得し、前記記憶制御手段は、前記第１の規格に準拠した無線通信が行われているときに、前記センシング情報が取得された場合には、取得された当該センシング情報を記憶させる制御を行ってもよい。
【０００９】
本発明の情報処理装置において、前記取得手段は、前記センシング情報を取得済みである旨を前記無線通信端末へ応答し、当該応答をした後は、前記取得済みである前記センシング情報を取得しなくてもよい。
【００１０】
本発明の情報処理装置において、前記取得手段は、前記検知手段により前記配置が検知されなくなった場合には、前記センシングの開始指示を前記無線通信端末へ送信し、設定された時間が経過した後に、前記センシングの停止指示を前記無線通信端末へ送信してもよい。
【００１１】
本発明の情報処理装置において、前記衣類として、第１の衣類と第２の衣類とがあり、前記特定の位置に作用する重量を測定する測定手段と、前記第１の衣類及び前記第２の衣類の各々の重量を特定する衣類情報を取得する衣類情報取得手段とを備え、前記検知手段は、前記測定手段により測定された前記重量と、前記衣類情報により特定される前記重量とに基づいて、前記特定の位置に前記第１の衣類及び前記第２の衣類が配置されていることを検知してもよい。
【００１２】
本発明の情報処理装置において、前記検知手段は、前記無線通信端末から受信した電波の強度に基づいて、前記特定の位置に前記衣類が配置されていることを検知してもよい。
【００１３】
本発明の情報処理装置において、ハンガー本体を備え、前記検知手段は、前記ハンガー本体に前記衣類が配置されたことを検知してもよい。
【００１４】
本発明の情報処理システムは、衣類に装着される無線通信端末と、情報処理装置とを備え、前記無線通信端末は、前記衣類に設けたセンサのセンシング情報を蓄積する蓄積制御手段と、前記蓄積制御手段により蓄積された前記センシング情報を、前記情報処理装置へ無線通信により送信する送信手段とを有し、前記情報処理装置は、無線通信端末と無線通信を行う無線通信手段と、前記衣類が特定の位置に配置されたことを検知する検知手段と、前記検知手段により前記配置が検知された場合に、前記無線通信手段を介して前記センシング情報を取得する取得手段と、前記取得手段により取得された前記センシング情報を記憶装置へ記憶させる制御を行う記憶制御手段とを備える。
【発明の効果】
【００１５】
本発明によれば、衣類において収集されたセンシング情報を記憶装置に記憶するための技術を提供することができる。
【図面の簡単な説明】
【００１６】
【図１】本発明の第１実施形態に係る情報処理システムの全体構成を示す図。
【図２】同実施形態に係る衣類の構成及びトランスミッタの装着例の説明図。
【図３】同実施形態に係るトランスミッタとハンガー装置との通信の概要の説明図。
【図４】同実施形態に係るトランスミッタのハードウェア構成を示すブロック図。
【図５】同実施形態に係るハンガー装置のハードウェア構成を示すブロック図。
【図６】同実施形態に係る端末装置のハードウェア構成を示すブロック図。
【図７】同実施形態に係る管理サーバのハードウェア構成を示すブロック図。
【図８】同実施形態に係るセンシング情報ＤＢに格納される情報の説明図。
【図９】同実施形態に係る情報処理システムの機能構成を示す図。
【図１０】同情報処理システムの全体的な処理の流れを示すシーケンス図。
【図１１】同情報処理システムの全体的な処理の流れの他の例を示すシーケンス図。
【図１２】同情報処理システムの機能構成の他の例を示す図。
【図１３】本発明の第２実施形態に係る情報処理システムのセンシングのオンオフ処理を示すシーケンス図。
【図１４】同情報処理システムのセンシングのオンオフ処理の具体例の説明図。
【図１５】同情報処理システムのセンシング情報を収集する処理を示すシーケンス図。
【発明を実施するための形態】
【００１７】
以下、図面を参照して本発明の一実施形態を説明する。
［第１実施形態］
図１は、本発明の第１実施形態に係る情報処理システムの全体構成を示す図である。情報処理システム１は、複数のトランスミッタ１０（１０Ａ，１０Ｂ，１０Ｃ）と、複数のハンガー装置２０（２０Ａ，２０Ｂ，２０Ｃ）と、端末装置３０と、管理サーバ４０と、サービスサーバ６０とを備える。トランスミッタ１０Ａ，１０Ｂ，１０Ｃ、ハンガー装置２０Ａ，２０Ｂ，２０Ｃ及び端末装置３０は、エンドユーザであるユーザＵによって使用（所有）される。ハンガー装置２０、端末装置３０、管理サーバ４０及びサービスサーバ６０の各々は、ネットワーク１００に接続する。ハンガー装置２０は、ネットワーク１００へのゲートウェイとなる端末装置３０を介して、ネットワーク１００に接続する。ネットワーク１００は、例えば、移動体通信網、ゲートウェイ装置及びインターネットを含む公衆通信回線である。
なお、情報処理システム１に含まれるトランスミッタ１０及びハンガー装置２０は、各々３台に限られず、２台以下又は４台以上であってもよい。
【００１８】
トランスミッタ１０は、衣類５０に装着され、衣類５０に設けたセンサのセンシング情報を送信する無線通信端末である。本実施形態のセンサは、特に断りのない限りトランスミッタ１０に内蔵されるが、衣類５０に直接装着されたものが含まれていてもよい。図１に示すように、トランスミッタ１０Ａが衣類５０Ａに装着され、トランスミッタ１０Ｂが衣類５０Ｂに装着され、トランスミッタ１０Ｃが衣類５０Ｃに装着される。衣類５０は、ユーザＵが身に着ける衣類であり、例えば、上着（上半身に着るワイシャツ等のトップス及び下半身に着るズボン等のボトムスを含む。）や下着を含む。
【００１９】
図２は、衣類５０の構成及びトランスミッタ１０の装着例を説明する図である。図２には、トランスミッタ１０Ａが衣類５０Ａに装着された例が示されている。
トランスミッタ１０Ａは、ボタン等の固定具を用いて衣類５０Ａに装着される。トランスミッタ１０Ａは、衣類５０Ａに装着されたとき、衣類５０Ａに予め設けられた接触部Ｅ１，Ｅ２，Ｅ３の各々と電気的に接続される。接触部Ｅ１，Ｅ２，Ｅ３は、人体と直接接触し、例えば、シルク又は合成繊維に導電性高分子（PEDOT-PSS）をコーティングした繊維で形成される。接触部Ｅ１，Ｅ２，Ｅ３は、汎用の心電計において人体に接触させられる電極と同等の用途で使用され、生体を流れる電気信号を生体信号として検知する。接触部Ｅ１，Ｅ２，Ｅ３は、導電性を有する素材であればどのような素材で形成されてもよいが、人体に接触しても人間に違和感を与えにくい素材で形成されることが望ましい。
【００２０】
衣類５０Ａには、更に、無線タグＴが取り付けられている。無線タグＴは、例えばＲＦＩＤ（Radio Frequency IDentifier）タグであり、衣類５０Ａの首付近の位置に設けられた非接触のＩＣタグである。無線タグＴは、衣類５０Ａに関する情報として、衣類５０Ａを識別する識別子である衣類ＩＤ、及び、トランスミッタ１０Ａと所定の規格に準拠した無線通信を行うために使用される通信アドレスを記憶する。通信アドレスは、ここでは、Ｂｌｕｅｔｏｏｔｈ（登録商標）に準拠した近距離通信を行うための通信アドレスである。後述する「近距離通信」は、特に断りのない限り、Ｂｌｕｅｔｏｏｔｈの規格に準拠した近距離無線通信である。無線タグＴの情報は、ＮＦＣ（Near Field Communication）に準拠した非接触の通信により読取可能である。Ｂｌｕｅｔｏｏｔｈの規格は、一般に、ＮＦＣの規格よりも通信可能な距離が長い。
なお、衣類５０Ｂの無線タグＴは、衣類５０Ｂの衣類ＩＤ及びトランスミッタ１０Ｂの通信アドレスを記憶し、衣類５０Ｃの無線タグＴは、衣類５０Ｃの衣類ＩＤ及びトランスミッタ１０Ｃの通信アドレスを記憶する。衣類５０Ｂ，５０Ｃは、生体信号を検知するための構成を有してもよいし、有しなくてもよい。
【００２１】
図１に戻り、ハンガー装置２０は、衣類用のハンガーの形状であるハンガー本体を有し、そのハンガー本体に装着（配置）された衣類５０を保持する。図３（ａ）に示すように、ハンガー装置２０は、衣類５０が装着されたとき、その衣類５０に装着されたトランスミッタ１０と近距離通信を行う情報処理装置である。図３（ｂ）に示すように、ハンガー装置２０は、衣類５０が装着されていないとき、その衣類５０に取り付けられた無線タグＴの情報を読み取ることはできない。近距離通信については、ハンガー装置２０とトランスミッタ１０との距離等によって、通信可能な場合とそうでない場合とがある。
【００２２】
端末装置３０は、携帯型の無線通信端末であり、本実施形態ではスマートフォン又はタブレット端末である。端末装置３０は、ハンガー装置２０と近距離通信を行う一方で、ネットワーク１００に接続して通信する機能を有する。ネットワーク１００を介して行われる通信のことを、以下では「ネットワーク通信」という。即ち、端末装置３０は、ハンガー装置２０をネットワーク１００に接続させる。
【００２３】
管理サーバ４０は、端末装置３０（更にはハンガー装置２０）とネットワーク１００を介して接続され、トランスミッタ１０により送信されたセンシング情報に基づいてデータの管理を行うサーバ装置である。管理サーバ４０は、例えば、トランスミッタ１０により送信されたセンシング情報を記憶するための記憶装置（即ちデータベース）として機能する。
【００２４】
サービスサーバ６０は、管理サーバ４０により収集されたセンシング情報を分析して、分析の結果に応じた所定のサービスを提供するサーバ装置である。サービスサーバ６０は、例えば、ユーザＵの活動量を示すデータを生成して、ネットワーク１００を介して端末装置３０へ送信する。これ以外にも、サービスサーバ６０は、生体情報からユーザＵの身体の変化（異変）を検知して、食生活の改善や運動促進を促すアドバイス情報や、フィットネスクラブ等で利用可能なクーポンを送信してもよい。また、サービスサーバ６０は、生体情報からユーザＵの身体の変化（異変）を検知して、医療機関等へ通報するサービスを提供してもよい。サービスサーバ６０によるセンシング情報の分析の結果は、ユーザＵ本人に限らず、ユーザＵの家族や所定の医療機関により参照されてもよい。
【００２５】
図４は、トランスミッタ１０のハードウェア構成を示すブロック図である。図４に示すように、トランスミッタ１０は、制御部１１と、センサ部１２と、記憶部１３と、近距離通信部１４とを備える。
制御部１１は、演算処理装置としてのＣＰＵ（Central Processing Unit）と、ＲＯＭ(Read Only Memory)及びＲＡＭ（Random Access Memory）を含むメモリを備えたマイクロコンピュータである。ＣＰＵは、ＲＯＭに記憶された制御プログラムをＲＡＭに読み出して実行することにより、トランスミッタ１０の各部を制御する。
【００２６】
センサ部１２は、所定の物理量を検知するためのセンサを含み、各センサはセンシングを行って、センシング情報を出力する。センサ部１２は、例えば、接触部Ｅ１，Ｅ２，Ｅ３により検知された生体信号を検知する生体センサを含む。生体センサとして、例えば、心電波形を測定するセンサ、筋電波形を測定するセンサ、及び、心拍数（脈拍）を測定するセンサがある。また、センサ部１２は、衣類５０を着用したユーザＵの活動量を測定するためのセンサとして、加速度センサ、歩数計センサ及び血圧センサの１つ以上を含んでいてもよい。また、センサ部１２は、湿度センサや温度センサ、紫外線センサ等の環境情報を検知するセンサを含んでいてもよい。
センサ部１２が備えるセンサは、前掲の例に限られない。センサ部１２は、例えば、衣類５０又は衣類５０を着用するユーザの状態を検知するための種々のセンサを含んでいてよい。
【００２７】
記憶部１３は、例えばＥＥＰＲＯＭ（Electronically Erasable and Programmable ROM）やフラッシュメモリを有し、各種のデータを記憶する記憶装置である。記憶部１３は、センサ部１２により出力されたセンシング情報を記憶（蓄積）する。近距離通信部１４は、例えばプロセッサ及びアンテナを有し、外部装置とＢｌｕｅｔｏｏｔｈの規格に準拠した近距離通信を行う。
【００２８】
図５は、ハンガー装置２０のハードウェア構成を示すブロック図である。図５に示すように、ハンガー装置２０は、制御部２１と、記憶部２２と、報知部２３と、非接触読取部２４と、近距離通信部２５と、重量センサ２６とを備える。
制御部２１、記憶部２２、近距離通信部２５の各々は、トランスミッタ１０における同名の手段（要素）と同じハードウェア構成を有する。報知部２３は、例えばＬＥＤ（Light Emitting Diode）等の発光手段を発光させることにより、ユーザへ所定の情報を通知する。ただし、報知部２３は、ユーザが知覚可能な他の方法（例えば音声出力）により、ユーザへ情報を通知してもよい。非接触読取部２４は、衣類５０に取り付けられた無線タグＴの情報を、ＮＦＣに準拠した非接触の通信により読み取る読取装置である。非接触読取部２４及び近距離通信部２５は、本発明の無線通信手段の一例である。重量センサ２６は、ハンガー装置２０に装着された衣類５０の重量を測定する測定手段である。重量センサ２６は、ハンガー装置２０に衣類５０が装着されているか否かで荷重が異なる位置（例えば肩部）に設けられる。
【００２９】
図６は、端末装置３０のハードウェア構成を示すブロック図である。図６に示すように、端末装置３０は、制御部３１と、ＵＩ（User Interface）部３２と、記憶部３３と、近距離通信部３４と、ネットワーク通信部３５とを備える。
制御部３１及び記憶部３３の各々は、トランスミッタ１０（又はハンガー装置２０）における同名の手段（要素）と同じハードウェア構成を有する。ＵＩ部３２は、例えばタッチスクリーンを採用した表示装置であり、画像を表示するとともに、タッチスクリーンを用いてユーザの操作を受け付けるユーザインタフェースである。ネットワーク通信部３５は、例えば無線通信回路及びアンテナを有し、ネットワーク通信を行うためのインタフェースである。
【００３０】
図７は、管理サーバ４０のハードウェア構成を示すブロック図である。図７に示すように、管理サーバ４０は、制御部４１と、ネットワーク通信部４２と、センシング情報ＤＢ（Data Base）４３とを備える。
制御部４１及びネットワーク通信部４２の各々は、端末装置３０における同名の手段（要素）と同じハードウェア構成を有する。センシング情報ＤＢ４３は、ハードディスク装置等の記憶装置を用いて実現され、収集したセンシング情報を記憶するためのデータベースである。制御部４１は、サービスサーバ６０に対し、ネットワーク通信部４２を介してセンシング情報ＤＢ４３の情報を送信する。
【００３１】
図８は、センシング情報ＤＢ４３に格納される情報を説明する図である。センシング情報ＤＢ４３は、図８に示すように、ユーザ毎に、当該ユーザを識別するユーザＩＤに対応付けて、当該ユーザが使用する衣類５０の衣類ＩＤと、当該衣類５０に関するセンシング情報とを記憶する。センシング情報ＤＢ４３は、センシングが行われた日時を示す日時情報と対応付けて、センシング情報を記憶する。
【００３２】
図９は、情報処理システム１の機能構成を示すブロック図である。トランスミッタ１０の制御部１１は、蓄積制御手段１１１と、受付手段１１２と、第１送信手段１１３と、センサ制御手段１１４とに相当する機能を実現する。
蓄積制御手段１１１は、センサ部１２のセンシング情報を、記憶部１３に蓄積する手段である。
受付手段１１２は、近距離通信部１４を介して、ハンガー装置２０からセンシング情報の送信要求を受け付ける手段である。
第１送信手段１１３は、蓄積制御手段１１１により蓄積されたセンシング情報を、近距離通信部１４を介してハンガー装置２０へ送信する手段である。第１送信手段１１３は、具体的には、受付手段１１２が受け付けた送信要求に応じて、センシング情報を送信する。第１送信手段１１３は、センシング情報の送信後、当該センシング情報を受信済みである旨が、ハンガー装置２０から応答された場合は、当該センシング情報を再び送信しない。
センサ制御手段１１４は、近距離通信部１４を介してハンガー装置２０から受け付けた指示に応じて、センサ部１２におけるセンシングの有無を制御する手段である。
【００３３】
ハンガー装置２０の制御部２１は、検知手段２１１と、第２送信手段２１２と、取得手段２１３と、同期制御手段２１４と、報知処理手段２１５と、センシング指示手段２１６とに相当する機能を実現する。
検知手段２１１は、ハンガー装置２０に衣類５０が装着されたことを検知する手段である。検知手段２１１は、重量センサ２６により測定された重量に基づいて、ハンガー装置２０に衣類５０が装着されたかどうかを検知する。検知手段２１１は、更に、非接触読取部２４により無線タグＴの衣類ＩＤが読み取られた場合に、当該衣類ＩＤが示す衣類５０が装着されたことを検知する。
【００３４】
第２送信手段２１２は、検知手段２１１により衣類５０の装着が検知された場合に、蓄積制御手段１１１により蓄積されたセンシング情報の送信要求を、近距離通信部２５を介してトランスミッタ１０へ送信する。
【００３５】
取得手段２１３は、第１送信手段１１３により送信されたセンシング情報を、近距離通信部２５を介して取得（受信）する手段である。取得手段２１３は、具体的には、センシング情報を取得した場合には、当該センシング情報を取得済みである旨を、近距離通信部２５を介してトランスミッタ１０へ応答する。
【００３６】
同期制御手段２１４は、取得手段２１３により取得されたセンシング情報を記憶装置へ記憶させる制御を行う記憶制御手段である。同期制御手段２１４は、具体的には、取得手段２１３により取得されたセンシング情報のセンシング情報ＤＢ４３への記憶を指示する同期指示データを、近距離通信部２５を介して端末装置３０へ送信する手段である。同期指示データは、トランスミッタ１０で収集されたセンシング情報と、センシング情報ＤＢ４３で管理されるセンシング情報とを同期させる同期処理の実行を指示するデータである。
【００３７】
報知処理手段２１５は、同期制御手段２１４により送信された同期指示データに応じた同期処理の成否を、報知部２３を用いて報知する手段である。例えば、報知処理手段２１５は、例えば、端末装置３０とハンガー装置２０との近距離通信が不可能であることを原因として、同期指示データの送信に失敗した場合に、報知部２３を用いてその旨を報知する。
【００３８】
センシング指示手段２１６は、検知手段２１１によるハンガー装置２０に衣類５０が装着されたかどうかの検知結果に応じて、トランスミッタ１０のセンサ部１２のセンシングの開始又は停止を、近距離通信部２５を介して指示する手段である。
端末装置３０は、同期制御手段２１４により送信された同期指示データを管理サーバ４０へ転送する中継処理を行う。
【００３９】
管理サーバ４０の制御部４１は、同期処理手段４１１に相当する機能を実現する。
同期処理手段４１１は、同期制御手段２１４により送信（転送）された同期指示データを、ネットワーク通信部４２を介して取得（受信）すると、取得した同期指示データに基づいて、センシング情報ＤＢ４３を用いた同期処理を行う。
【００４０】
次に、本実施形態の動作を説明する。
図１０は、情報処理システム１で実行される全体的な処理の流れを示すシーケンス図である。以下で説明する処理の前段階において、センサ部１２によるセンシングは停止しており、また、トランスミッタ１０は衣類５０に装着された状態であるものとする。
ハンガー装置２０の制御部２１は、非接触読取部２４により、無線タグＴの情報を読み取る（ステップＳ１）。制御部２１は、ハンガー装置２０の電源がオンされたタイミングやユーザにより指示されたタイミング等において、無線タグＴの情報の読み取りを行う。制御部２１は、無線タグＴから読み取った通信アドレスを用いて、ハンガー装置２０とトランスミッタ１０とのペアリングを行う。また、制御部２１は、無線タグＴから読み取った衣類ＩＤに基づいて、ハンガー装置２０に装着された衣類５０を特定する。制御部２１は、ペアリングに用いた通信アドレス及び自装置に装着された衣類５０の衣類ＩＤを、記憶部２２に記憶させる。
【００４１】
次に、制御部２１は、ハンガー装置２０から衣類５０が取り外されたかどうかを検知する（ステップＳ２）。制御部２１は、重量センサ２６により測定された重量、又は／及び、非接触読取部２４による無線タグＴの読取結果に基づいて、衣類５０が装着されているかどうかを検知する。制御部２１は、衣類５０が取り外されておらず、装着されたままであることを検知した場合（ステップＳ２；ＮＯ）、衣類５０の装着の有無を継続して検知する。
【００４２】
ハンガー装置２０から衣類５０が取り外されたことを検知した場合（ステップＳ２；ＹＥＳ）、制御部２１は、ステップＳ３の処理に進める。衣類５０が装着されていないことが検知された場合、衣類５０がハンガー装置２０から取り外されたと推測される。そして、制御部２１は、センサ部１２によるセンシングの開始指示を、近距離通信部２５を介して、トランスミッタ１０へ送信する（ステップＳ３）。衣類５０がハンガー装置２０から取り外された直後は、ハンガー装置２０と衣類５０（即ちトランスミッタ１０）とが近距離通信が可能な程度に近接している。
【００４３】
トランスミッタ１０の制御部１１は、近距離通信部１４を介して開始指示を受信して、センサ部１２によるセンシングを開始する（ステップＳ４）。センシングを開始すると、トランスミッタ１０の制御部１１は、センシングにより得たセンシング情報を、記憶部１３に蓄積する（ステップＳ５）。トランスミッタ１０では、センシングを開始した後は、例えば所定間隔でセンサ部１２によるセンシングを繰り返し行い、センシング情報を記憶部１３に蓄積する。具体的には、制御部１１は、センシング情報を、センシングを行った日時を示す日時情報と対応付けて蓄積する。
【００４４】
その後、制御部２１は、重量センサ２６により測定された重量に基づいて、ハンガー装置２０に衣類５０が装着されたかどうかを検知する（ステップＳ６）。そして、制御部２１は、衣類５０がハンガー装置２０に装着されたことを検知した場合（ステップＳ６；ＹＥＳ）、近距離通信部２５を介して、センシング情報の送信要求をトランスミッタ１０へ送信する（ステップＳ７）。ここにおいて、制御部２１は、ペアリング済みのトランスミッタ１０の通信アドレスを用いて、周辺にあるトランスミッタ１０をサーチする。そして、制御部２１は、探索したトランスミッタ１０へ送信要求を送信する。ここでは、衣類５０が再びハンガー装置２０に掛けられたので、トランスミッタ１０はこの送信要求を受け付け（受信）可能である。
【００４５】
トランスミッタ１０の制御部１１は、近距離通信部１４を介してセンシング情報の送信要求を受け付けると（ステップＳ８）、この送信要求に応答して、記憶部１３に記憶されたセンシング情報及び日時情報を、ハンガー装置２０へ送信する（ステップＳ９）。
なお、制御部１１は、ハンガー装置２０へ未送信のセンシング情報を送信する。
【００４６】
ハンガー装置２０の制御部２１は、トランスミッタ１０により送信されたセンシング情報を、近距離通信部２５を介して取得すると、取得したセンシング情報に基づいて、同期指示データを、近距離通信部２５を介して端末装置３０へ送信する。同期指示データは、例えば、センシング情報及び当該センシング情報が収集された衣類５０の衣類ＩＤを含む。端末装置３０の制御部３１は、ハンガー装置２０から同期指示データを取得すると、取得した同期指示データを、ネットワーク通信部３５を介して管理サーバ４０へ送信する（ステップＳ１０）。制御部３１は、例えば、ユーザＵのユーザＩＤを同期指示データに含めて送信する。
前述のとおり、ハンガー装置２０に衣類５０が装着されたときにステップＳ７〜Ｓ１０の処理が実行されるので、ステップＳ１０の処理が行われたとき、ユーザＵがハンガー装置２０の付近に存在する可能性が高い。このため、ステップＳ１０の処理が実行されたとき、端末装置３０は、ハンガー装置２０と近距離通信が可能な位置に存在する可能性が高い。
【００４７】
次に、管理サーバ４０の制御部４１は、ネットワーク通信部４２を介して取得した同期指示データに基づいて、センシング情報の同期処理を行う（ステップＳ１１）。ここでは、制御部４１は、同期指示データに基づいて、ユーザＩＤ及び衣類ＩＤと対応付けて、センシング情報及び日時情報をセンシング情報ＤＢ４３に記憶させる。
【００４８】
そして、管理サーバ４０の制御部４１は、同期処理に成功した旨を通知する通知信号を、ネットワーク通信部４２を介して端末装置３０へ送信する。端末装置３０の制御部３１は、ネットワーク通信部３５を介して取得した通知信号を、近距離通信部２５を介してハンガー装置２０へ送信する（ステップＳ１２）。ハンガー装置２０の制御部２１は、同期指示データを送信した後、同期処理に成功した旨を、報知部２３を用いてユーザＵへ報知する（ステップＳ１３）。次に、制御部２１は、センサ部１２によるセンシングを停止することを指示する停止指示を、近距離通信部２５を介してトランスミッタ１０へ送信する（ステップＳ１４）。この停止指示は、センシング情報を取得済みであることを示す応答信号（例えばＡＣＫ信号）によって実現されてもよい。そして、トランスミッタ１０の制御部１１は、近距離通信部１４を介して停止指示を受信（取得）すると、センサ部１２によるセンシングを停止させる（ステップＳ１５）。これにより、衣類５０がハンガー装置２０に装着されているときに、トランスミッタ１０はセンサ部１２を用いたセンシングを行わないで済む。このとき、トランスミッタ１０は、センサ部１２のセンサシングをオフするのではなく、送信済みのセンシング情報を再び送信しないようにしてもよい。
【００４９】
＜同期処理に失敗した場合＞
図１１は、情報処理システム１で実行される同期処理に失敗した場合の全体的な処理の流れを示すシーケンス図である。図１１の各処理ステップのうち、図１０で説明した同期成功時と共通する処理については、同じ符号を付して表し、説明を省略する。
ハンガー装置２０が、ステップＳ１０で同期指示データの送信を試みても、失敗する場合もある。一例として、ユーザＵがハンガー装置２０の付近から直ちに立ち去って、ハンガー装置２０が端末装置３０に無線接続できなかったり、端末装置３０の電源又は通信機能が切られていたり、端末装置３０をユーザＵが携帯していない場合が考えられる。
【００５０】
ハンガー装置２０の制御部２１は、同期指示データの送信に失敗した場合、同期処理に失敗した旨を、報知部２３を用いてユーザＵへ報知する（ステップＳ１６）。制御部２１は、例えば同期成功時とは異なる発光により、同期処理に失敗した旨をユーザＵへ報知する。そして、制御部２１は、センサ部１２によるセンシングを停止することを指示する停止指示を、近距離通信部２５を介してトランスミッタ１０へ送信する（ステップＳ１７）。トランスミッタ１０の制御部１１は、近距離通信部１４を介して停止指示を受信すると、自機のセンサ部１２におけるセンシングを停止させる（ステップＳ１８）。
【００５１】
ハンガー装置２０の制御部２１は、送信に失敗した同期指示データについては、記憶部２２に記憶させておく。そして、制御部２１は、以後の所定のタイミングで、同期指示データの再送を試みる。具体的には、制御部２１は、ハンガー装置２０から衣類５０が取り外されたかどうかを検知し（ステップＳ１９）、衣類５０がハンガー装置２０から取り外されたことを検知した場合に（ステップＳ１９；ＹＥＳ）、送信に失敗していた同期指示データを送信する（ステップＳ２０）。衣類５０がハンガー装置２０から取り外された直後は、ハンガー装置２０と衣類５０（即ちトランスミッタ１０）とが近距離通信が可能な程度に近接している可能性が高いからである。
なお、ステップＳ２０の同期指示データの送信後においては、前述したステップＳ１１と同じ同期処理が実行される。
【００５２】
以上説明した第１実施形態の情報処理システム１では、ハンガー装置２０に衣類５０が装着されたことを条件に、トランスミッタ１０で収集されたセンシング情報に基づいて同期処理が実行される。このため、ハンガー装置２０は、トランスミッタ１０との近距離通信が可能になったタイミングで、同期処理の実行を指示する可能性が高くなり、ネットワーク１００上でのセンシング情報の管理を精度良く実現させることができる。また、衣類５０がハンガー装置２０に装着されたとき、センサ部１２はセンシングを停止し、衣類５０が装着されていないときにセンサ部１２はセンシングを行うので、トランスミッタ１０の不要な電力消費やセンシング情報の収集が抑制される。
【００５３】
［第２実施形態］
上述した第１実施形態では、１つのハンガー装置２０に１つの衣類５０が装着される場合を説明したが、実際には、１つのハンガー装置２０に２以上の衣類５０が同時に装着される可能性もある。そこで、この第２実施形態の情報処理システム１は、１つのハンガー装置２０に２以上の衣類５０が装着された場合であっても、同期処理を正常に行えるようにするための仕組みを有する。
本実施形態の情報処理システム１のハードウェア構成は、上述した第１実施形態と同じでよいから、説明を省略する。以下の説明において、第１実施形態と同じ要素については同じ符号を付して表してその説明を省略し、第１実施形態の要素と対応する要素については符号の末尾に「ａ」を付して表してその説明を簡略化する。以下では、ハンガー装置２０は、装着され得る全ての衣類５０のトランスミッタ１０とペアリングされているものとする。
【００５４】
図１２は、本実施形態のハンガー装置２０の機能構成を示すブロック図である。本実施形態において、ハンガー装置２０の制御部２１は、上述した第１実施形態の機能に加え、衣類情報取得手段２１７に相当する機能を実現する。
衣類情報取得手段２１７は、衣類５０の重量を特定する衣類情報を取得する手段である。衣類情報は、例えば無線タグＴに記憶される。この場合、衣類情報取得手段２１７は、無線タグＴから読み取られた衣類情報を取得する。衣類情報は、無線タグＴ以外に記憶されていてもよい。例えば、図示せぬサーバ装置において、衣類５０毎に、当該衣類５０の衣類ＩＤと、その衣類の重量を示す衣類情報が記憶されていてもよい。この場合、衣類情報取得手段２１７は、ハンガー装置２０に装着された衣類５０の衣類情報を、近距離通信部２５を介して端末装置３０と通信することにより、ネットワーク１００上のサーバ装置から取得するとよい。
【００５５】
検知手段２１１ａは、重量センサ２６により測定された衣類５０の重量と、衣類情報取得手段２１７が取得した衣類情報により特定される衣類５０の重量とに基づいて、ハンガー装置２０に装着された衣類５０を検知する。
センシング指示手段２１６ａは、検知手段２１１ａにより衣類５０の装着が検知されなくなった場合には、センシングの開始指示をトランスミッタ１０へ送信し、設定された時間が経過した後に、センシングの停止指示をトランスミッタ１０へ送信する。
【００５６】
＜センシングのオンオフ処理＞
図１３は、情報処理システム１で実行されるセンシングのオンオフ処理の流れを示すシーケンス図である。図１４は、センシングのオンオフ処理の具体例を説明する図である。以下では、ハンガー装置２０Ａに、衣類５０Ａ（第１の衣類）及び衣類５０Ｃ（第２の衣類）の２着が装着される場合を例に挙げて、本実施形態を説明する。
ハンガー装置２０Ａの制御部２１は、ステップＳ１の処理後、ハンガー装置２０Ａから衣類５０が取り外されたことを検知すると（ステップＳ２；ＹＥＳ）。センシングの開始指示を、近距離通信部２５を介して、トランスミッタ１０Ａ，１０Ｃの各々へ送信する（ステップＳ３Ａ，Ｓ３Ｃ）。そして、トランスミッタ１０Ａ，１０Ｃの各々は、図１４（ａ）に示すように、センサ部１２によるセンシングを開始し（ステップＳ４Ａ，Ｓ４Ｃ）、センシング情報を蓄積する（ステップＳ５Ａ，Ｓ５Ｃ）。
【００５７】
ここで、衣類５０Ａがハンガー装置２０Ａに装着されたままで、衣類５０Ｃのみがハンガー装置２０Ａから取り外された場合を考える。この場合、衣類５０Ｃに装着されたトランスミッタ１０Ｃでのセンシングを継続させ、衣類５０Ａに装着されたトランスミッタ１０Ａのセンシングを停止させるべきである。
ハンガー装置２０Ａの制御部２１は、ステップＳ３でセンシングの開始指示を送信した後、設定された時間（以下「設定時間」という。）が経過したタイミングで、センシングの停止指示を、ペアリング済みの通信アドレスを用いて、近距離通信部２５を介して送信する（ステップＳ２１）。このとき、ハンガー装置２０Ａに衣類５０Ａは装着されたままであるから、トランスミッタ１０Ａは、ハンガー装置２０Ａとの近距離通信が可能な範囲内に存在する。他方、衣類５０Ｃは、ハンガー装置２０Ａから取り外されてユーザに着用され、ハンガー装置２０Ａから離れた位置に存在する可能性が高い。このため、トランスミッタ１０Ｃは、ハンガー装置２０Ａとの近距離通信が可能な範囲外に存在する可能性が高い。
【００５８】
よって、ステップＳ２１で送信された停止指示によって、図１４（ｂ）に示すように、トランスミッタ１０Ａの制御部１１は、近距離通信部１４により受信した停止指示に応じて、センサ部１２のセンシングを停止させる（ステップＳ２２）。他方、トランスミッタ１０Ｃの制御部１１は、停止指示を受信しないので、センサ部１２のセンシングを継続して行わせることとなる。
なお、上記の設定時間は、設計段階等で決められた時間であってもよいし、ユーザＵによって指定された時間であってもよく、その決め方は特に問わない。この設定時間は、トランスミッタ１０とハンガー装置２０とが近距離通信が可能な範囲外にユーザＵが移動するまでの時間を考慮して決められることが望ましい。
【００５９】
＜センシング情報の収集＞
次に、本実施形態のセンシング情報の収集について説明する。
図１５は、情報処理システム１で実行されるセンシング情報の収集の流れを示すシーケンス図である。以下では、ハンガー装置２０が近距離通信を行うことが可能な範囲内に、トランスミッタ１０Ａ，１０Ｂ，１０Ｃが存在するものとする。
ハンガー装置２０Ａの制御部２１は、まず、衣類情報を取得する（ステップＳ３１）。次に、制御部２１は、重量センサ２６により衣類５０の重量を測定する（ステップＳ３２）。そして、制御部２１は、重量センサ２６により測定された衣類５０の重量と、取得した衣類情報により特定される衣類５０の重量とに基づいて、２つ以上の衣類５０が装着されていることを検知する。例えば、制御部２１は、衣類情報に基づいて、衣類５０Ａの重量をＷ１と特定し、衣類５０Ｃの重量をＷ２と特定し、重量センサ２６によりＷ１＋Ｗ２の重量が測定された場合、ハンガー装置２０に衣類５０Ａ，５０Ｃが装着されたことを検知する（ステップＳ３３）。
なお、衣類情報で特定される重量と、測定された重量との間に或る程度の差異（誤差）が存在する可能性もあるので、一定値未満の差異は無視してよい。
【００６０】
次に、制御部１１は、センシング情報の送信要求を、近距離通信部２５を介して送信する（ステップＳ３４Ａ，Ｓ３４Ｂ，Ｓ３４Ｃ）。この送信要求は、トランスミッタ１０Ａ，１０Ｂ，１０Ｃの各々により受信される。そして、トランスミッタ１０Ａ，１０Ｂ，１０Ｃの各々の制御部１１は、送信要求を受け付けると（ステップＳ３５Ａ，Ｓ３５Ｂ，Ｓ３５Ｃ）、これに応答して、センシング情報を、近距離通信部１４を介して送信する（ステップＳ３６Ａ，Ｓ３６Ｂ，Ｓ３６Ｃ）。
【００６１】
ハンガー装置２０の制御部２１は、トランスミッタ１０Ａ，１０Ｂ，１０Ｃにより送信されたセンシング情報を、近距離通信部２５を介して取得する。そして、制御部２１は、受信したセンシング情報に基づいて、同期指示データを、距離通信部２５を介して端末装置３０へ送信する（ステップＳ３７）。ここにおいて、制御部２１は、ステップＳ３３の処理の検知結果に基づき、衣類５０Ａ，５０Ｃで収集されたセンシング情報に基づいて、同期指示データを送信する。他方、制御部２１は、衣類５０Ｂで収集されたセンシング情報に基づいて同期指示データを送信しない。
これにより、仮にハンガー装置２０Ａの近くに装着された別のハンガー装置２０から、トランスミッタ１０Ｂのセンシング情報が取得された場合であっても、このセンシング情報に基づく同期指示データが送信されない。
【００６２】
［変形例］
本発明は、上述した実施形態と異なる形態で実施することが可能である。本発明は、例えば、以下のような形態で実施することも可能である。また、以下に示す変形例は、各々を適宜に組み合わせてもよい。
（変形例１）
ハンガー装置２０は、衣類５０の無線タグＴの情報を読み取り可能なときに、センシング情報の送信要求を送信してもよい。即ち、ハンガー装置２０は、ＮＦＣに準拠した非接触の通信が行われているときに、センシング情報を取得した場合には、取得した当該センシング情報に基づいて同期指示データを送信する。この際、無線タグＴから読み取った衣類ＩＤの衣類５０が装着されたハンガー装置２０からのセンシング情報に基づいて、同期指示データを送信してもよい。これにより、ハンガー装置２０は、自装置に装着された衣類５０についてのセンシング情報のみを対象として、同期指示データを送信しやすくなる。
【００６３】
また、ハンガー装置２０は、トランスミッタ１０から受信した近距離通信の電波の強度に基づいて、自装置に衣類５０が装着されているかどうかを検知してもよい。この場合、ハンガー装置２０は、例えば、トランスミッタ１０から受信した電波の受信強度が閾値以上である場合には、衣類５０が装着されていることを検知し、閾値未満である場合には、衣類５０が装着されていないことを検知する。
【００６４】
（変形例２）
本発明の情報処理装置は、ハンガー装置２０のように衣類用のハンガーの形状のハンガー本体を備えるものに限られない。例えば、本発明の情報処理装置は、汎用の衣類用のハンガーに着脱可能な無線通信装置によって実現されてもよい。
また、本発明の情報処理装置は、ハンガーに衣類が装着されたことを検知するものに限らず、衣類が着用されていないときに当該衣類が配置される特定の位置に、衣類が配置されているかどうかを検知してもよい。例えば、本発明の情報処理装置は、衣類を収納するための家具（収納家具。例えば収納ボックス）内の引き出しの中に衣類が配置されたことを検知する。この検知のために、家具の引き出しに収納された衣類の重量を測定する重量センサが、当該家具に設けられていればよい。この場合、情報処理装置は、衣類が家具に収納されたときに当該衣類のセンシング情報を無線通信により取得可能な位置に設けられ、衣類が配置されたことが検知されたことを条件に、同期処理を実行させる。
また、本発明の情報処理装置は、ハンガーに衣類が装着されたことを検知することに代えて、衣類が装着されたハンガーがハンガーラックに配置（装着）されたことを検知してもよい。この場合、ハンガーラックが配置される位置（例えばレールの溝部）に、ハンガーの重量を測定する重量センサが設けられていればよい。
本発明の情報処理装置は、ネットワーク１００に接続する機能を有する場合、自装置の機能により、ネットワーク１００へ直接に接続してもよい。
【００６５】
（変形例３）
上述した実施形態で説明した構成又は動作の一部が省略されてもよい。
例えば、ハンガー装置２０において、無線タグＴから情報を読み取る構成、又は、重量センサ２６が省略されてもよい。また、トランスミッタ１０は、衣類５０に固定的に装着されたものであってもよい。
また、センサ部１２の各センサの少なくとも一部が、トランスミッタ１０ではなく、衣類５０に直接装着されていてもよい。
【００６６】
本発明の無線通信は、Ｂｌｕｅｔｏｏｔｈ（第２の規格）又はＮＦＣ（第１の規格）に準拠した無線通信でなくてもよい。例えば、Ｂｌｕｅｔｏｏｔｈに準拠した近距離通信に代えて、Ｗｉ−Ｆｉ（登録商標）等の規格に準拠した無線ＬＡＮ（Local Area Network）による無線通信が採用されてもよい。また、ハンガー装置２０は、Ｚｉｇｂｅｅ（登録商標）等の規格に準拠した近距離通信により、無線タグＴの情報を読み取ってもよい。また、ハンガー装置２０は、Ｂｌｕｅｔｏｏｔｈに準拠した近距離通信をトランスミッタ１０と行い、Ｗｉ−Ｆｉ等の他の規格に基づいて端末装置３０との無線通信を行ってもよい。
【００６７】
また、本発明は、公衆通信回線に接続された記憶装置にセンシング情報を記憶させる発明に限られない。例えば、本発明は、無線ＬＡＮ等のネットワークやアドホック・ネットワークを介して接続された記憶装置に、センシング情報を記憶させてもよい。例えば、センシング情報ＤＢ４３に相当するデータベースを、端末装置３０が備えてもよい。また、本発明の情報処理装置は、自装置内の記憶装置にセンシング情報を記憶してもよい。
本発明の衣類は、身に着る物を総称する概念であり、下着及び上着以外の身体の部位に着るものでもよく、頭に被る帽子、首に巻くスカーフや、足に履く靴下等であってもよい。
【００６８】
（変形例４）
上述した実施形態の情報処理システムの各装置の制御部１１，２１，３１，４１が実現する機能は、複数のプログラムの組み合わせによって実現され、又は、複数のハードウェア資源の連係によって実現されうる。制御部１１，２１，３１，４１の機能がプログラムを用いて実現される場合、このプログラムは、磁気記録媒体（磁気テープ、磁気ディスク（ＨＤＤ（Hard Disk Drive）、ＦＤ（Flexible Disk））等）、光記録媒体（光ディスク等）、光磁気記録媒体、半導体メモリ等のコンピュータ読み取り可能な記録媒体に記憶した状態で提供されてもよいし、ネットワークを介して配信されてもよい。
【符号の説明】
【００６９】
１…情報処理システム、１０，１０Ａ，１０Ｂ，１０Ｃ…トランスミッタ、１１，２１，３１，４１…制御部、１１１…蓄積制御手段、１１２…受付手段、１１３…第１送信手段、１１４…センシング制御手段、１２…センサ部、１３，２２，３３…記憶部、１４，２５，３４…近距離通信部、２０，２０Ａ，２０Ｂ，２０Ｃ…ハンガー装置、２１１，２１１ａ…検知手段、２１２…第２送信手段、２１３…取得手段、２１４…同期制御手段、２１５…報知処理手段、２１６，２１６ａ…センシング指示手段、２１７…衣類情報取得手段、２３…報知部、２４…非接触読取部、２６…重量センサ、３０…端末装置、３２…ＵＩ部、３５，４２…ネットワーク通信部、４０…管理サーバ、４１１…同期処理手段、４３…センシング情報ＤＢ、５０，５０Ａ，５０Ｂ，５０Ｃ…衣類、６０…サービスサーバ、１００…ネットワーク。
【図１】
2016009259.tif 000003
【図２】
2016009259.tif 000004
【図３】
2016009259.tif 000005
【図４】
2016009259.tif 000006
【図５】
2016009259.tif 000007
【図６】
2016009259.tif 000008
【図７】
2016009259.tif 000009
【図８】
2016009259.tif 000010
【図９】
2016009259.tif 000011
【図１０】
2016009259.tif 000012
【図１１】
2016009259.tif 000013
【図１２】
2016009259.tif 000014
【図１３】
2016009259.tif 000015
【図１４】
2016009259.tif 000016
【図１５】
2016009259.tif 000017